(57)【要約】【課題】筒状のハウジングでも容易に着脱式のフックを採用可能とする。【解決手段】フック９の基端部１１の外周に凹溝１２を形成する一方、ハウジング２に、基端部１１を挿脱可能な差込孔１３を穿設すると共に、ハウジング２内部で差込孔１３の出口際に、差し込まれた基端部１１の凹溝１２と係止して基端部１１を抜け止めする固定位置と、凹溝１２との係止を解除して基端部１１の挿脱を許容する固定解除位置との間を基端部１１の挿脱方向と交差状にスライド可能で、常態ではコイルバネ２１によって固定位置に付勢される係止プレート１４を、ハウジング２の外部からスライド操作可能に設けた。【選択図】図１
2009028841.tif 000002
【特許請求の範囲】
【請求項１】
電動工具の筒状のハウジングに、先端に掛止部を形成したフックの基端部を着脱可能に差し込み装着するためのフック構造であって、
前記基端部の外周に被係止部を形成する一方、前記ハウジングに、前記基端部を挿脱可能な差込孔を穿設すると共に、前記ハウジング内部で前記差込孔の出口際に、差し込まれた前記基端部の被係止部と係止して前記基端部を抜け止めする固定位置と、前記被係止部との係止を解除して前記基端部の挿脱を許容する固定解除位置との間を前記基端部の挿脱方向と交差状にスライド可能で、常態では付勢手段によって前記固定位置に付勢される係止プレートを、前記ハウジングの外部からスライド操作可能に設けたことを特徴とする電動工具のフック構造。
【請求項２】
差込孔とその内側の係止プレートとからなる装着部を、前記係止プレートのスライド操作方向を互いに合わせた状態で複数箇所に設け、各係止プレート同士をハウジング内に設けた連結板で連結して、所定の係止プレートのスライド操作によって全ての係止プレートを同時にスライド可能としたことを特徴とする請求項１に記載の電動工具のフック構造。
【請求項３】
連結板を、周縁に係止プレートを折曲形成してハウジングの軸線と直交状に設けられ、前記ハウジング内で回転可能な円盤状としたことを特徴とする請求項２に記載の電動工具のフック構造。
【発明の詳細な説明】
【技術分野】
【０００１】
本発明は、電動工具にその吊り下げ用に設けられるフックの構造に関する。
【背景技術】
【０００２】
電動工具には、壁に設けた係止部や作業者のベルト等に掛止して吊り下げられるようにフックが設けられることがある。このフックは、常に装着状態であると作業の邪魔になることから、着脱可能とするのが望ましい。例えば特許文献１では、電動工具のハンドルの基端にフックの取付孔を設け、その取付孔に、棒状部材を折曲して形成したフックの端部を差し込んで弾性的に係止させる構造とすることで、フックを着脱可能とした発明を開示している。
【０００３】
【特許文献１】特開２００２−１２７０４９号公報
【発明の開示】
【発明が解決しようとする課題】
【０００４】
例えばピストル形の震動ドリルといった電動工具では、重心に近い本体側の筒状のハウジングにフックを装着可能とするのが望ましい。しかし、特許文献１のような着脱構造は、差し込まれたフック端部を係止するためにハウジングの厚み方向に比較的大きなスペースが必要となるため、本体側のハウジングでは内部機構との兼ね合いがあって着脱構造のためのスペースを確保できないことが多く、結局ハンドル等に設けざるを得ない。よって、ベルト等に掛止した際のバランスが悪くなって使い勝手を損なうものとなっていた。
【０００５】
そこで、本発明は、電動工具の筒状のハウジングでも容易に着脱式として採用でき、使い勝手に優れた電動工具のフック構造を提供することを目的としたものである。
【課題を解決するための手段】
【０００６】
上記目的を達成するために、請求項１に記載の発明は、基端部の外周に被係止部を形成する一方、ハウジングに、基端部を挿脱可能な差込孔を穿設すると共に、ハウジング内部で差込孔の出口際に、差し込まれた基端部の被係止部と係止して基端部を抜け止めする固定位置と、被係止部との係止を解除して基端部の挿脱を許容する固定解除位置との間を基端部の挿脱方向と交差状にスライド可能で、常態では付勢手段によって固定位置に付勢される係止プレートを、ハウジングの外部からスライド操作可能に設けたことを特徴とするものである。
請求項２に記載の発明は、請求項１の目的に加えて、フック使用のバリエーションを増やしてより使い勝手を向上させるために、差込孔とその内側の係止プレートとからなる装着部を、係止プレートのスライド操作方向を互いに合わせた状態で複数箇所に設け、各係止プレート同士をハウジング内に設けた連結板で連結して、所定の係止プレートのスライド操作によって全ての係止プレートを同時にスライド可能としたことを特徴とするものである。
請求項３に記載の発明は、請求項２の目的に加えて、連結板を合理的に得るために、連結板を、周縁に係止プレートを折曲形成してハウジングの軸線と直交状に設けられ、ハウジング内で回転可能な円盤状としたことを特徴とするものである。
【発明の効果】
【０００７】
請求項１に記載の発明によれば、筒状のハウジングでも容易に着脱式のフックが採用でき、使い勝手に優れる。
請求項２に記載の発明によれば、請求項１の効果に加えて、フックの装着箇所の選択が可能となってフック使用のバリエーションが増えると共に、何れの装着箇所でも同じ位置でのスライド操作でフックが着脱可能となるため、より使い勝手が向上する。
請求項３に記載の発明によれば、請求項２の効果に加えて、連結板を省スペースで合理的に得ることができる。
【発明を実施するための最良の形態】
【０００８】
以下、本発明の実施の形態を図面に基づいて説明する。
図１は、電動工具の一例である震動ドリルの説明図で、上が平面、下が側面を夫々示す。この震動ドリル１は、筒状のハウジング２の後方側に、図示しないモータを内蔵する一方、前方側に、回転機構や震動機構等を内蔵して前端（図１の左側を前方とする。）に突出させた出力軸３にトルクや震動を伝達する周知の構成で、ハウジング２の後方には、トリガースイッチ５を備えたハンドル４が延設されている。６は、出力軸３の前端に設けられてドリルビット等を着脱可能なチャックである。
また、ハウジング２の前後方向の中間部位で、上面及び左右の両側面には、フックの装着部７，８，８が形成され、各装着部７，８にフック９が装着可能となっている。このフック９は、一本の棒状部材を折曲して、先端が前方へ折り返される側面Ｕ字状の掛止部１０と、その掛止部１０の基端でハウジング２側へ直角に折り曲げられる一対の基端部１１，１１とを有し、各基端部１１の中間部位には、図２にも示すように、被係止部となる凹溝１２が夫々周設されている。
【０００９】
一方、装着部７，８は、フック９の基端部１１，１１をハウジング２内に対して挿脱可能な一対の差込孔１３，１３と、ハウジング２内で差込孔１３，１３の出口際に、基端部１１の挿脱方向と直交状に設けられた係止プレート１４とからなる。各係止プレート１４は、図３にも示すように、ハウジング２の軸線と直交状に収容された円盤状の連結板１５において、ハウジング２内の上部に向けて延設された延設部１６の上端と、左右端とを夫々前方側へ折曲して形成されたもので、この連結板１５は、モータの出力軸等が貫通する透孔１７を中央に備えて内部機構との干渉を回避した状態で、ハウジング２内で係止プレート１４と共に所定量回転可能に収容されている。
各係止プレート１４には、フック９の基端部１１，１１が遊挿可能な一対の係止孔１８，１８が穿設されており、各係止孔１８における周方向の一方側（前方に向かって左回転側、以下回転方向では常に前方に向かった状態で言う）の内縁は、基端部１１の凹溝１２に係止可能な円弧状に形成されている。
【００１０】
また、上側の装着部７において、差込孔１３，１３の間には、図４に示すレバー１９が収容されている。このレバー１９は、ハウジング２の上部に形成された収容部２０内で周方向へスライド可能に保持され、周方向左側と後方とを開口させたブロック状で、内部に収容した付勢手段としてのコイルバネ２１により、常態では収容部２０の周方向の右端位置に付勢されている。２２は、収容部２０を貫通してハウジング２の外部に露出する操作部である。
【００１１】
ここで、上側の装着部７に位置する係止プレート１４の前端縁には、先端を周方向左側に向けた係止片２３が形成されて、レバー１９に設けたスリット１９ａに周方向右側から係止していることから、レバー１９の右端位置への付勢に伴い、図２（Ａ）のように係止プレート１４もハウジング２内で周方向右側に付勢され、連結板１５を右回転させて他の装着部８，８の係止プレート１４を右側へ付勢することになる。この状態では、図５（Ａ）のように各係止プレート１４の係止孔１８，１８は、差込孔１３，１３から周方向右側へずれた状態となっている（固定位置）。ここから操作部２２を介してレバー１９をコイルバネ２１の付勢に抗して周方向左側へスライドさせると、係止片２３で連結される係止プレート１４を介して連結板１５を左回転させ、図５（Ｂ）のように各係止プレート１４の係止孔１８を差込孔１３と一致させることができる（固定解除位置）。
【００１２】
以上の如く構成された震動ドリル１のフック構造においては、操作部２２を介してレバー１９を周方向左側へスライド操作すると、図２（Ｂ）のように連結板１５を左回転させて各係止プレート１４を固定解除位置へスライドさせ、係止孔１８を差込孔１３と一致させる。よって、何れかの装着部７，８を選択してその差込孔１３，１３にフック９の基端部１１，１１を差し込むことができる（図２では説明上全ての装着部７，８にフック９を装着する状態を示しているが、通常はフック９は１つのみ装着される）。なお、ハウジング２内で連結板１５の前方には、フック９の基端部１１，１１の差し込みを凹溝１２が係止プレート１４と一致する位置で規制する一対の切欠２５，２５を形成した規制板２４が固定されており、ハウジング２の上側では、同様の位置で基端部１１，１１の差し込みを規制する有底孔２６，２６が形成されていることから、どの装着部７，８を選択しても基端部１１，１１は適正量で差し込まれる。
【００１３】
そして、操作部２２から手を離してレバー１９を再びコイルバネ２１の付勢によって周方向右端位置へスライドさせると、図２（Ｃ）のように係止プレート１４も固定位置へスライドして図５（Ａ）の如く係止孔１８の内縁を基端部１１の凹溝１２に夫々係止させるため、基端部１１，１１が抜け止めされてフック９の装着が完了する。
一方、フック９を取り外す場合は、装着時と同様に操作部２２を介してレバー１９を周方向左側へスライド操作して各係止プレート１４を固定解除位置へスライドさせれば、、係止孔１８による凹溝１２への係止が解除されるため、そのまま基端部１１，１１を差込孔１３，１３から抜き取ることができる。なお、この形態では内部機構との兼ね合いから上側の装着部７よりも左右の装着部８，８の方が差込孔１３，１３の間隔が小さくなっているが、棒状部材を折曲形成したフック９の構造から基端部１１，１１には弾性が付与されているため、差込孔１３，１３の位置に合わせて基端部１１，１１の間隔を適宜変更して対応可能である。
【００１４】
このように、上記形態のフック構造によれば、基端部１１の外周に凹溝１２を形成する一方、ハウジング２に、基端部１１を挿脱可能な差込孔１３を穿設すると共に、ハウジング２内部で差込孔１３の出口際に、差し込まれた基端部１１の凹溝１２と係止して基端部１１を抜け止めする固定位置と、凹溝１２との係止を解除して基端部１１の挿脱を許容する固定解除位置との間を基端部１１の挿脱方向と交差状にスライド可能で、常態ではコイルバネ２１によって固定位置に付勢される係止プレート１４を、ハウジング２の外部からスライド操作可能に設けたことで、震動ドリル１の筒状のハウジング２でも容易に着脱式のフック９が採用でき、使い勝手に優れる。
【００１５】
特にここでは、差込孔１３とその内側の係止プレート１４とからなる装着部７，８を、係止プレート１４のスライド操作方向を互いに合わせた状態で複数箇所に設け、各係止プレート１４同士をハウジング２内に設けた連結板１５で連結して、所定の係止プレート１４のスライド操作によって全ての係止プレート１４を同時にスライド可能としているので、フックの装着箇所の選択が可能となってフック使用のバリエーションが増えると共に、何れの装着箇所でも同じ位置でのスライド操作でフックが着脱可能となるため、より使い勝手が向上する。
また、連結板１５を、周縁に係止プレート１４を折曲形成してハウジング２の軸線と直交状に設けられ、ハウジング２内で回転可能な円盤状としたことで、連結板１５を省スペースで合理的に形成することができる。
【００１６】
なお、装着部は上記形態に限らず、数の増減や配置位置の変更は適宜可能で、レバーも上側でなく左右等の別の装着部に設けてもよい。また、係止プレートの付勢も、レバーに設けたコイルバネに限らず、他の弾性体を使用したり、係止プレートに板バネとなる弾性片を連設してコイルバネの省略を図ったりすることができる。さらに、レバーもなくして係止プレートにハウジングの外部に突出する操作片を連設して、操作片を介して係止プレートを直接スライド操作するようにしても差し支えない。
加えて、係止プレートとフックの基端部との係脱も、係止プレートの係止孔を切欠に代えたり、凹溝を二面幅にして鍵穴状の係止孔で係脱させたり等の設計変更が可能である。
【００１７】
そして、連結板も、円盤状に限らず、ハウジング内のスペースがなければ帯状の連結板を周方向に形成して係止プレート同士を連結することも考えられる。また、連結板をなくして係止プレートを独立して設け、夫々に設けたレバーや操作片等によって単独でスライド操作可能としてもよい。
その他、電動工具も震動ドリル以外にドライバやドライバドリル等、筒状のハウジングにフックが使用される種々の機種が対象となる。
【図面の簡単な説明】
【００１８】
【図１】震動ドリルの全体図で、上が平面、下が側面を夫々示す。
【図２】Ａ−Ａ断面図で、（Ａ）〜（Ｃ）はフックの装着手順を示す。
【図３】係止プレート及び連結板の説明図で、上が平面、下が背面、左が側面を夫々示す。
【図４】レバーの説明図である。
【図５】係止プレートと基端部との係脱状態を示す説明図で、（Ａ）が固定位置、（Ｂ）が固定解除位置を夫々示す。
【符号の説明】
【００１９】
１・・震動ドリル、２・・ハウジング、７，８・・装着部、９・・フック、１０・・掛止部、１１・・基端部、１２・・凹溝、１３・・差込孔、１４・・係止プレート、１５・・連結板、１８・・係止孔、１９・・レバー、２１・・コイルバネ、２２・・操作部、２３・・係止片、２４・・規制板。
【図１】
2009028841.tif 000003
【図２】
2009028841.tif 000004
【図３】
2009028841.tif 000005
【図４】
2009028841.tif 000006
【図５】
2009028841.tif 000007